(57)【要約】      （修正有）【課題】使用に際し、ペーパーの端末が取り出し易いトイレットペーパーの切断装置を提供する。【解決手段】トイレットペーパーホルダーの主要部を、トイレットペーパー１、ペーパー巻本体２、ペーパー巻本体２の上部に設けたペーパー押え板３、上部ペーパーガイド５、下部ペーパーガイド９，ペーパ切断刃６により構成する。トイレットペーパー１は上下のガイド５，９間を通過して前方に引き出される。上部ペーパーガイド５及び下部ペーパーガイド９の位置より１０ｍｍ乃至４０ｍｍの前方上部にペーパー切断刃６が設けられ、引き出したトイレットペーパー１を上に揚げペーパー切断刃６に押し当てる事によりトイレットペーパー１は切断される。ペーパ端末４は、下部ペーパガイド９に懸り垂れ下がる。【選択図】図１
0003147136.tif 000002
【実用新案登録請求の範囲】
【請求項１】
上部ペーパーガイドの下に下部ペーパーガイドを設け、上部ペーパーガイドの前方１０ｍｍ乃至４０ｍｍの位置にペーパー切断刃を設けて成ることを特徴としたトイレットペーパーの切断装置。
【考案の詳細な説明】
【考案の分野】
【０００１】  本考案は乗り物及び家屋等のトイレ内に設備されるトイレットペーパーホルダーに関するものである。
【背景技術】
【０００２】  水洗式トイレの無い時代では、払拭用紙として四角形に裁断された紙が使用された、社会の生活環境が進歩するにつれ、トイレは水洗式になり、払拭用紙はロール状の長い紙に変更され、その紙を巻いた物を使い易くしたホルダーが出来、現今市場には各社の製品が多数販売されて居るが、構成上の相違点は殆ど無く同一の製品である。
最近に至り、ペーパーを水にて切断する方式のものが出現しているが、この物は切断性能は良いとしても、水の補給が面倒なるため、この点が欠点になって居る。
トイレットペーパーホルダーの開発、研究をする人、メーカーは多いが、実用になる物は、まだ実現していない。
【考案の開示】
【考案が解決しようとする課題】
【０００３】  現今社会に普及しているトイレットペーパーホルダーは、簡素な構成ながら、一応使い易くて良い器具であると認められるが、唯一の欠点は、使用に際してペーパーの端末が、取り出し難い事である。
迅速、容易にペーパーを引き出す事、その事は些細な事であり、不必要とも思えるが、その不便は何十年間、毎日、連続するものである、そのため良好なトイレットペーパーホルダーの開発が切望される。
【課題を解決するための手段】
【０００４】  本考案は上記問題点を解決するために成されたものであるが、なるべく簡単、廉価にて目的を達成するため、従来の構成を利用して変更を僅少にする。
従来のトイレットペーパーホルダーは、ペーパーを巻いた、そのペーパー巻本体に接した部位にてペーパーを切断して居た、このため切断されたペーパーの端末が巻本体に付着し、次回の使用に際して、ペーパーの端末を摘み出す事が迅速、容易にできなかった、その不便を解消する手段として、従来のホルダーの切断箇所より１０ｍｍ乃至３０ｍｍ前方に、ペーパーを切断する刃物を設け、ペーパーの切断位置をペーパー巻本体より離隔することにより、ペーパー付着問題を解決する。
本考案の切断装置を従来のトイレットペーパーホルダーに補足、装着しても良く、又従来方式のトイレットペーパーホルダへに本考案の切断装置を設け一体化したるホルダーを当初より作る事も、勿論可能である。
【考案の効果】
【０００５】  従来のトイレットペーパーホルダーは使用に際してペーパーを摘み出す事が困難であったが、本考案の切断装置を使用すれば、容易、迅速にペーパーの引き出しができる。
本考案はペーパーの切断装置のみの独立した商品として作る事を可能として居り、そのため、現今にて既に使用中のトイレットペーパーホルダーに装着する事ができ、手軽安価に使い易いホルダーに改造することができる。
【考案を実施するための最良の形態】
【０００６】  従来のトイレットペーパーホルダーは簡素にて優れた面を有するため、その構成、形態は、そのまま利用するが、従来ホルダーはペーパーの切断位置が悪いため、次回の使用に際しペーパーの摘み出しが困難であった、本考案はこの解決手段として、ペーパーの切断部を独立した装置として製作し、従来のトイレットペーパーホルダーに補足、装着することにより完全、最良のトイレットペーパーホルダーを実現する。
【実施例】
【０００７】  従来のトイレットペーパーホルダーは簡潔な構成にて、一応良好に使用できるトイレ用器具であるが、唯一の欠点は、使用に際してペーパーの摘み出しが困難な事である、これは些細な問題であるが、日常生活において、毎日、何十年間その不便は続行する。
本考案は上記問題を解決するために成されたものであって、以下図面に基づき詳細に説明する、〔図１〕は従来のトイレットペーパーホルダーに本考案のトイレットペーパーの切断装置を設けた場合において、トイレットペーパーを引き出したる状態を示した側面図であって、１はトイレットペーパーである、２はトイレットペーパー１を巻いたペーパー巻本体である、３はペーパー巻本体２の上部に設けられたるペーパー押さえ板である、これ等の各部は従来のトイレットペーパーホルダーの公知構成であるため説明を省略する。
従来はペーパー押さえ板３の前端部にてトイレットペーパー１を切断して居た、この方法は簡単であるが、トイレットペーパー１の切断部がペーパー巻本体２に食い込み、次回の使用に際して、トイレットペーパー１を摘み出す事が困難であった、本考案は、この問題を解決するために成されたものであって、解決手段としてトイレットペーパー１の切断位置を従来位置より１０ｍｍ乃至４０ｍｍ前方に変更する、この変更位置にペーパー切断刃６を設る。
トイレットペーパー１は薄く切断容易な紙であるため切断には鋭利な切断刃を必要とせす、安全である、５はトイレットペーパー１を前方向に導くための上部ペーパーガイドである、９は下部ペーパーガイドであって、この上下のガイド間をトイレットペーパー１は通過して前方に引き出される、上部ペーパーガイド５及び下部ペーパーガイド９の位置より１０ｍｍ乃至４０ｍｍの前方上部にペーパー切断刃６が設けられ、引き出したるトイレットペーパー１を上に揚げペーパー切断刃６に押し当てる事によりトイレットペーパー１は切断される。【０００８】  〔図２〕は従来のトイレットペーパーホルダーに本考案のトイレットペーパーの切断装置を設けた場合において、引き出したるトイレットペーパー１を切断した場合を示した側面図であある。
使用者がトイレットペーパー１を引き出し、切断する場合は、トイレットペーパー１を摘み持った手先を上方に揚げトイレットペーパー１をペーパー切断刃６に押し当てる事により切断する。
切断後、手に残りたる側のトイレットペーパー１は使用者の目的に使用されるが、他の側のペーパー端末４は下部ペーパーガイド９に懸り垂れ下がる、これにより次回の使用に際してペーパー端末４を摘む事が極めて簡単、迅速にできる、この効果は些細なものであるが、全ての人が一生の長い期間にて得るものであるため、その効果は大きい。【０００９】  〔図３〕は従来のトイレットペーパーホルダーに本考案のトイレットペーパーの切断装置を結合した状態を示す側面図であって、７は従来のトイレットペーパーホルダーである、８は本考案のトイレットペーパーの切断装置である、６はペーパー切断刃である。
〔図３〕は既製の従来のトイレットペーパーホルダー７に、独立した部品として作られた本考案のトイレットペーパーの切断装置８を結合した場合の状態図であって、この方法を採用すると極めて簡単、安価にて従来ホルダーを改造する事ができる。
従来のトイレットペーパーホルダー７に本考案のトイレットペーパーの切断装置８を結合する方法としては、接着剤による接合、ネジ止め、その他どのような結合方法を利用しても良いことは勿論である。
本考案はこのような実施例に何等限定されるものでなく、考案の要旨を逸脱しない範囲において種々なる態様にて実施し得ることは勿論である。
【産業上利用の可能性】
【００１０】  本考案のトイレットペーパーの切断装置は安価にて製造でき、類似品が市場に全く存在無きため、現在一般にて使用中の従来式トイレットペーパーホルダーの機能改善用具として、販売実施が大きく期待される。
【図面の簡単な説明】
【００１１】
【図１】は従来のトイレットペーパーホルダーに本考案のトイレットペーパーの切断装置を設けた場合においてトイレットペーパーを引き出したたる状態を示した側面図である
【図２】は従来のトイレットペーパーホルダーに本考案のトイレットペーパーの切断装置を設けた場合においてトイレットペーパーを切断したる状態を示した側面図である。
【図３】は従来の既製トイレットペーパーホルダーに本考案のトイレットペーパーの切断装置を結合した状態を示した側面図である。
【符号の説明】
【００１２】１  トイレットペーパー
２  ペーパー巻本体
３  ペーパー押さえ板
４  ペーパー端末
５  上部ペーパーガイド
６  ペーパー切断刃
７  トイレットペーパーホルダー
８  トイレットペーパーの切断装置
９  下部ペーパーガイド
【図１】
0003147136.tif 000003
【図２】
0003147136.tif 000004
【図３】
0003147136.tif 000005